(57)【要約】【課題】    本発明は、ネットの補強を簡易にすることができる防獣ネットを提供することを目的とする。【解決手段】    防獣ネット１は、第１のネット１１と第２のネット１２とを重ねると共に、重ねた状態を保持するために、第１のネット１１と第２のネット１２とを結束する結束部材３とを備えているものである。【選択図】    図１
2006262765.tif 000002
【特許請求の範囲】
【請求項１】
第１のネットと第２のネットとを重ねると共に、重ねた状態を保持するために、前記第１のネットと前記第２のネットとを結束する結束部材とを備えていることを特徴とする防獣ネット。
【請求項２】
帯状の第１のネットと帯状の第２のネットとを重ねると共に、重ねた状態を保持するために、前記第１のネットと前記第２のネットとを結束する結束部材とを備え、
前記第２のネットの幅は、前記第１のネットの幅より小さく、前記第１のネットの上側部分と前記第１のネットの下側部分とを除いて、前記第１のネットと前記第２のネットとが重なっていることを特徴とする防獣ネット。
【請求項３】
帯状の第１のネットと帯状の第２のネットとを重ねると共に、重ねた状態を保持するために、前記第１のネットと前記第２のネットとを結束する結束部材とを備え、
前記第２のネットの幅は、前記第１のネットの幅より小さく、前記第１のネットの上側部分を除いて、前記第１のネットと前記第２のネットとが重なっていることを特徴とする防獣ネット。
【請求項４】
第１のネットと第２のネットの目合い、線径は同じものであり、
前記第１のネットの目合いと前記第２のネットの目合いが合致しないようにずらして前記第１のネットと前記第２のネットとが重なっていることを特徴とする請求項１〜３記載の防獣ネット。
【発明の詳細な説明】
【技術分野】
【０００１】
本発明は、猪，鹿等の動物に好適な防獣ネットに関する。
【背景技術】
【０００２】
従来、動物（典型的には野生の猪，鹿，兎，猿等）が生息する地域、あるいは当該地域の近在の人の居住地には、動物の侵入を防ぐために防獣ネットが設けられる。
この防獣ネットは、ポール間に防獣ネットを張設して構成される。猪，鹿等は力が強く、また、ジャンプ力もあるため、防獣ネットは頑丈でなくてはならないし、ある程度の高さが必要となる（例えば、特許文献１参照）。
ところで、動物によっては、防獣ネットの下部を突破する傾向がある。防獣ネットでは、ネット下部の目合いをネット上部の目合いよりも小さくすることにより、ネット下部の強度を確保するようにしており、目合いの異なるネットをそれぞれ作り、接合するようにしている。
【特許文献１】特開２０００−９３０６６号公報（図１）
【発明の開示】
【発明が解決しようとする課題】
【０００３】
そのため、ネット上部とネット下部とで目合いの異なるものをそれぞれ作らねばならず、手間を要するという問題点が生じた。
本発明は、上記の問題点を除去するようにした防獣ネットを提供することを目的とする。
【課題を解決するための手段】
【０００４】
前記した目的を達成するための本発明の防獣ネットは、第１のネットと第２のネットとを重ねると共に、重ねた状態を保持するために、前記第１のネットと前記第２のネットとを結束する結束部材とを備えているものである。
【０００５】
また、請求項２記載の防獣ネットは、帯状の第１のネットと帯状の第２のネットとを重ねると共に、重ねた状態を保持するために、前記第１のネットと前記第２のネットとを結束する結束部材とを備え、前記第２のネットの幅は、前記第１のネットの幅より小さく、前記第１のネットの上側部分と前記第１のネットの下側部分とを除いて、前記第１のネットと前記第２のネットとが重なっているものである。
【０００６】
また、請求項３記載の防獣ネットは、帯状の第１のネットと帯状の第２のネットとを重ねると共に、重ねた状態を保持するために、前記第１のネットと前記第２のネットとを結束する結束部材とを備え、前記第２のネットの幅は、前記第１のネットの幅より小さく、前記第１のネットの上側部分を除いて、前記第１のネットと前記第２のネットとが重なっているものである。
【０００７】
また、請求項４記載の防獣ネットは、請求項１〜３記載の防獣ネットにおいて、第１のネットと第２のネットの目合い、線径は同じものであり、前記第１のネットの目合いと前記第２のネットの目合いが合致しないようにずらして前記第１のネットと前記第２のネットとが重なっているものである。
【発明の効果】
【０００８】
請求項１記載の防獣ネットによれば、第１のネットと第２のネットとを重ねると共に、重ねた状態を結束部材により結束させるため、ネットの補強を簡易にすることができる。
【０００９】
対象の動物によっては、防獣ネットの上下部分を除いて防獣ネットの中間部分を強くしたい場合がある。かかる場合、請求項２記載の防獣ネットによれば、第１のネットの上側部分と前記第１のネットの下側部分とを除いて、前記第１のネットと第２のネットとを重ねると共に、重ねた状態を結束部材により結束させるため、ネットの補強を簡易にすることができる。
【００１０】
対象の動物によっては、防獣ネットの上側部分を除いて防獣ネットの中間部分及び下側部分を強くしたい場合がある。かかる場合、請求項３記載の防獣ネットによれば、第１のネットの上側部分を除いて、前記第１のネットと第２のネットとを重ねると共に、重ねた状態を結束部材により結束させるため、ネットの補強を簡易にすることができる。
【００１１】
また、請求項４記載の防獣ネットによれば、上述した請求項１〜３記載の発明の効果に加え、第１のネットと第２のネットの目合い、線径が同じものでも、前記第１のネットの目合いと前記第２のネットの目合いが合致しないようにずらして前記第１のネットと前記第２のネットとを重ねると共に、重ねた状態を結束部材により結束させるため、小さい目合いのネットを簡易に作ることができる。
【発明を実施するための最良の形態】
【００１２】
本発明の防獣ネットの一実施例を図面を参照して説明する。
図１乃至図３において、防獣ネット１は、概略的に、帯状の第１のネット１１と、帯状の第２のネット１２とで構成されている。
第１のネット１１は、例えば、ポリエチレン繊維糸であり、第２のネット１２は、例えば、第１のネット１１と同様（例えば、ポリエチレン繊維糸）のものでも良いが、強化ポリエチレン繊維糸の外周にステンレス線等の金属線を螺旋状に巻き付けたもの（ステンレス線等の金属線、ポリエステル、カプサイシン入りの糸等）である。
また、第２のネット１２の幅は、第１のネット１１の幅より小さく、第１のネット１１の上側部分（例えば、ｈ3 寸法）と第１のネット１１の下側部分（例えば、ｈ1 寸法）とを除いて、第１のネット１１と第２のネット１２とを重ねると共に、重ねた状態を保持するために、第１のネット１１と第２のネット１２とは、結束部材（例えば、紐）３により連続的又は実施例に示すように不連続的に結束されている。結束は、例えば、図１に示すように、第２のネット１２の上下端部と該上下端部に対応する第１のネット１１の部分に結束部材（例えば、紐）３を通して行われる。
そして、２本のポール２１、２２間に、防獣ネット１は、張設されている。４は、ペグで、該ペグ４を第１のネット１１の下端部分に係止させて、設置面に固定するようにしてある（図１乃至図３記載の防獣ネット１の第１のネット１１、第２のネット１２の材質及び２本のポール２１、２２間に、防獣ネット１が張設されている点は、後述する図４乃至図１１記載の防獣ネット１の実施例においても、同様である。）。
【００１３】
その結果、対象の動物によっては、防獣ネット１の上下部分を除いて防獣ネット１の中間部分（例えば、ｈ2 寸法）を強くしたい場合がある。かかる場合、この防獣ネット１によれば、第１のネット１１の上側部分と第１のネット１２の下側部分とを除いて、第１のネット１１と第２のネット１２とを重ねると共に、重ねた状態を結束部材３により結束させるため、ネットの補強を簡易にすることができる。
【００１４】
なお、本実施例の第１のネット１１と第２のネット１２の目合いは異なっているが、図４及び図５に示すように、第１のネット１１と第２のネット１２の目合い、線径は同じでも良く（目合いの大きさは、例えば、約１ｍｍ〜約３０ｃｍで、好ましくは、約５ｃｍ〜約１５ｃｍである。）、また、第１のネット１１の目合いと第２のネット１２の目合いが合致するようにしても良いが、特に、第１のネット１１の目合いと第２のネット１２の目合いが合致しないようにずらして（図５参照）、第１のネット１１と第２のネット１２とが重なるようにしても良い。なお、図４及び図５においては、図１に記載のポール（２１、２２）、ペグ（４）は、省略して図示している。
その結果、第１のネット１１及び第２のネット１２の目合いより小さく形成することができる。なお、本実施形態では、例えば、第１のネット１１の高さ寸法は、例えば、約２．４ｍであるが、本発明はこれには限定されない。
【００１５】
上述の実施例では、防獣ネット１の中間部分を「第１のネット１１と第２のネット１２と」を重ねるようにして形成したが、本発明にあっては、これに限らず、例えば、図６及び図７に示す防獣ネット１でも良い。
防獣ネット１は、上述の実施例と同様に、帯状の第１のネット１１と帯状の第２のネット１２とを重ねると共に、重ねた状態を保持するために、第１のネット１１と第２のネット１２とを結束する結束部材３とを備えている。
結束は、例えば、図６に示すように、第２のネット１２の上下端部と該上下端部に対応する第１のネット１１の部分に結束部材（例えば、紐）３を不連続的（図示しないが、連続的に通して行われても良い。）に通して行われる。なお、図６及び図７においては、図１に記載のポール（２１、２２）、ペグ（４）は、省略して図示している。
第２のネット１２の幅は、第１のネット１１の幅より小さく、第１のネット１１の上側部分を除いて、第１のネット１１と第２のネット１２とが重なっている。
【００１６】
その結果、対象の動物によっては、防獣ネット１の上側部分を除いて防獣ネット１の中間部分及び下側部分を強くしたい場合がある。かかる場合、この防獣ネット１によれば、第１のネット１１の上側部分を除いて、第１のネット１１と第２のネット１２とを重ねると共に、重ねた状態を結束部材３により結束させるため、ネットの補強を簡易にすることができる。
【００１７】
なお、上述の実施例（図６及び図７）の第１のネット１１と第２のネット１２の目合いは異なっているが、図８及び図９に示すように、第１のネット１１と第２のネット１２の目合い、線径は同じでも良く（目合いの大きさは、例えば、約１ｍｍ〜約３０ｃｍで、好ましくは、約５ｃｍ〜約１５ｃｍである。）、また、第１のネット１１の目合いと第２のネット１２の目合いが合致するようにしても良いが、特に、第１のネット１１の目合いと第２のネット１２の目合いが合致しないようにずらして（図９参照）、第１のネット１１と第２のネット１２とが重なるようにしても良い。また、図８及び図９においては、図１に記載のポール（２１、２２）、ペグ（４）は、省略して図示している。
その結果、第１のネット１１及び第２のネット１２の目合いより小さく形成することができる。
【００１８】
上述の実施例では、第１のネット１１と第２のネット１２とを重ねる場合、一部に重なる部分を欠如していたが、図１０及び図１１に示すように、第１のネット１１と第２のネット１２とを全て重ねても良い（重ねる態様としては、ネットの目合い、線径が同じものである場合、ネットの目合いを一致させても、ずらしても良い。ネットの目合い、線径が異なる場合、第１のネット１１と第２のネット１２とはずれた状態で重なる。）。
即ち、防獣ネット１は、第１のネット１１と第２のネット１２とを重ねると共に、重ねた状態を保持するために、第１のネット１１と第２のネット１２とを結束する結束部材（例えば、紐）３とを備えている。この防獣ネット１においても、上述の防獣ネット１と同様に、ネットの補強を簡易にすることができる。
なお、結束部材（例えば、紐）３を連続的又は不連続的に、第１のネット１１と第２のネット１２の上下端部を通して、第１のネット１１と第２のネット１２とを結束する用にしている。また、図１０及び図１１においては、図１に記載のポール（２１、２２）、ペグ（４）は、省略して図示している。
【図面の簡単な説明】
【００１９】
【図１】図１は、本発明の一実施例の防獣ネットを示す概略的正面図である。
【図２】図２は、図１の防獣ネットの構成を示す概略的構成図である。
【図３】図３は、図２のXーX線による概略的断面図である。
【図４】図４は、図１の防獣ネットと異なる他の実施例の防獣ネットの構成を示す概略的構成図である。
【図５】図５は、図４のネットを重ねて構成した防獣ネットの概略的断面図である。
【図６】図６は、図５の防獣ネットと異なる他の実施例の防獣ネットの構成を示す概略的一部正面図である。
【図７】図７は、図６の概略的断面図である。
【図８】図８は、図６の防獣ネットと異なる他の実施例の防獣ネットの構成を示す概略的構成図である。
【図９】図９は、図８の概略的断面図である。
【図１０】図１０は、図９の防獣ネットと異なる他の実施例の防獣ネットの構成を示す概略的構成図である。
【図１１】図１１は、図１０のネットを重ねて構成した防獣ネットの概略的断面図である。
【符号の説明】
【００２０】
１    防獣ネット
３    結束部材
１１    第１のネット
１２    第２のネット
【図１】
2006262765.tif 000003
【図２】
2006262765.tif 000004
【図３】
2006262765.tif 000005
【図４】
2006262765.tif 000006
【図５】
2006262765.tif 000007
【図６】
2006262765.tif 000008
【図７】
2006262765.tif 000009
【図８】
2006262765.tif 000010
【図９】
2006262765.tif 000011
【図１０】
2006262765.tif 000012
【図１１】
2006262765.tif 000013